(57)【要約】  【課題】  床配管と天井配管を共用できる水道用コンセントを提供すること。  【解決手段】  流入口６、流出口７および弁体８を有する水栓本体９をハウジング２内に収容する一方、前記弁体８を開閉操作して前記流出口７から送出可能な水の流量を調整する流量調整部材１０を設けるとともに、水を供給するための配管Ｐと前記流入口６とを接続する配管接続部材１２を設け、給水ホースの上流端に設けられた継手部材が着脱自在である継手部１３を前記流出口７に接続してなり、取付穴ｈが形成された天井、壁Ｗ、床または取付用パネルに設置される水道用コンセント１において、前記配管接続部材１２に形成された配管接続口３５の方向を変更できるように前記配管接続部材１２を回動自在に構成してある。  【選択図】  図３                                                              
2005200883.tif 000002
【特許請求の範囲】
【請求項１】
流入口、流出口および弁体を有する水栓本体をハウジング内に収容する一方、前記弁体を開閉操作して前記流出口から送出可能な水の流量を調整する流量調整部材を設けるとともに、水を供給するための配管と前記流入口とを接続する配管接続部材を設け、給水ホースの上流端に設けられた継手部材が着脱自在である継手部を前記流出口に接続してなり、天井、壁、床または取付用パネルに形成された取付穴に設置される水道用コンセントにおいて、前記配管接続部材に形成された配管接続口の方向を変更できるように前記配管接続部材を回動自在に構成してあることを特徴とする水道用コンセント。
【請求項２】
前記ハウジングは、矩形形状をした前面開口を有し、内部に前記水栓本体が設置されるハウジング本体と、前記前面開口を形成する枠状の周縁部に対応する形状を有する枠体と、この枠体が嵌込まれるカバープレートとよりなり、前記枠体とハウジング本体の周縁部とで天井、壁、床または取付用パネルを挟持してあり、また、前記カバープレートは、上下にそれぞれ前記流量調整部材が配置可能な開口および前記継手部が配置可能な開口を有するとともに、少なくとも前記配管接続口と配管の接続部分あるいは前記流出口と前記継手部の接続部分において発生した漏水を、案内板を介して外部に放出しうる漏水案内部材を有する一方、前記案内板は、裏返しすることにより異なる口径の配管が挿通可能な配管挿通穴を有する請求項１に記載の水道用コンセント。
【請求項３】
前記流量調整部材および継手部にそれぞれ設けた所定長さのアダプタを介して天井、壁、床または取付用パネルを前記枠体とハウジング本体の周縁部とで挟持してある請求項１または請求項２に記載の水道用コンセント。
【請求項４】
天井、壁、床または取付用パネルの背面に当接させた所定厚みのスペーサを介して天井、壁、床または取付用パネルを前記枠体とハウジング本体の周縁部とで挟持してある請求項１または請求項２に記載の水道用コンセント。
【請求項５】
前記流量調整部材が弁棒の軸心のまわりに回動する回動式ハンドルである請求項１ないし請求項４のいずれかに記載の水道用コンセント。
【請求項６】
前記継手部に逆止弁を設けるとともに、前記流量調整部材の閉操作時に発生する水撃を吸収する水撃緩和手段を前記配管接続部材に設けてある請求項１ないし請求項５のいずれかに記載の水道用コンセント。
【請求項７】
前記配管接続部材は、異なる口径の配管に対応するよう交換可能に設けられている請求項１ないし請求項６のいずれかに記載の水道用コンセント。
【発明の詳細な説明】
【技術分野】
【０００１】
この発明は、洗濯機、浄水器、食器洗い機、湯沸器などの機器の給水ホースへ給水できる水道用コンセントに関するものである。
【背景技術】
【０００２】
本出願人は、流入口、流出口および弁体を有する水栓本体をハウジング内に収容する一方、前記弁体を開閉操作して前記流出口から送出可能な水の流量を調整する流量調整部材を設けるとともに、水を供給するための配管と前記流入口とを接続する配管接続部材を設け、給水ホースの上流端に設けられた継手部材が着脱自在である継手部を前記流出口に接続してなり、天井、壁、床または取付用パネルに形成された取付穴に設置される水道用コンセントとして、下記特許文献１、特許文献２および特許文献３に示すものを提案している。
【０００３】
下記特許文献１では、配管接続部材を複数種類設けて異なる口径の配管に対応できるよう構成している。
【０００４】
下記特許文献２では、ハウジングのカバープレートの下方位置に漏水孔を設けるとともに、カバープレートの背面側に漏水案内部材を設け、前記流出口と継手部との接続部分からの漏水を漏水案内部材を介して漏水孔に案内するよう構成している。
【０００５】
下記特許文献３では、ハウジング本体に漏水受皿部分と漏水排出部分を設け、カバープレートの背面側に設けた蓋体に漏水受け部を設け、配管接続部材の配管接続口と配管の接続部分において発生した漏水を受皿部分、排出部分および漏水受け部を介して外部に排出するよう構成している。
【特許文献１】特開２００３−１１３６２６号公報
【特許文献２】特開２００２−３７１６００号公報
【特許文献３】特開２００２−３６４０３２号公報
【発明の開示】
【発明が解決しようとする課題】
【０００６】
ところで、例えば洗濯機に給水するために洗濯機近傍の壁に水道用コンセントは設置されるが、水道用コンセントに備わっている配管接続部材の配管接続口には床配管から壁に沿って立ち上げてなる配管が接続されている。しかし、最近の新築マンションや住宅における配管作業においては、施工性の点から、床配管と天井配管とを共用するタイプのものが注目されているが、現行の水道用コンセントでは実際のところ天井配管を利用できる構造にはなっていなかった。例えば現行の水道用コンセントを単に逆さまに設置して配管接続口を上向きにしても流量調整部材と継手部の上下関係が逆になるという不都合が生じたり、配管接続口に例えばＵ型のニップル等の継手を接続したりする作業が増えたり、この継手と配管接続口との接続部分から生ずる漏水の防止対策が必要であるなどの多くの問題が生じるのであり、水道用コンセントにおいても床配管と天井配管を使用できるタイプのものが望まれている。
【０００７】
この発明は、上述の事柄に留意してなされたもので、その目的は、床配管と天井配管を共用できる水道用コンセントを提供することである。
【課題を解決するための手段】
【０００８】
上記目的を達成するために、この発明の水道用コンセントは、流入口、流出口および弁体を有する水栓本体をハウジング内に収容する一方、前記弁体を開閉操作して前記流出口から送出可能な水の流量を調整する流量調整部材を設けるとともに、水を供給するための配管と前記流入口とを接続する配管接続部材を設け、給水ホースの上流端に設けられた継手部材が着脱自在である継手部を前記流出口に接続してなり、天井、壁、床または取付用パネルに形成された取付穴に設置される水道用コンセントにおいて、前記配管接続部材に形成された配管接続口の方向を変更できるように前記配管接続部材を回動自在に構成してあることを特徴とする。
【発明の効果】
【０００９】
この発明では、水栓本体に設けた流入口と配管とを接続する配管接続部材に形成された配管接続口の方向を変更できるように配管接続部材を回動自在に構成してあることから、配管接続口を天井配管の側に向けるだけの回動操作で流量調整部材と継手部の上下関係を変えることなく配管接続口と天井配管を接続することができる。また、配管接続口を床配管の側に向けるだけの回動操作で配管接続口と床配管を接続することができる。
【発明を実施するための最良の形態】
【００１０】
以下、この発明の実施形態を、図を参照しながら説明する。なお、それによってこの発明は限定されるものではない。
【００１１】
図１〜図１４は、取付穴ｈが形成された壁の背面に当接させた所定厚みのスペーサを介して壁を前記枠体とハウジング本体の周縁部とで挟持するとともに、配管接続部材に形成された配管接続口と天井配管を接続してあるこの発明の一実施形態を示す。
まず、図１〜図３において、水道用コンセント１は、正面視矩形形状をした前面開口２ａを有する箱状のハウジング本体２と、前面開口２ａを形成する枠状の周縁部（外向きフランジ）３に対応する形状を有する枠体４と、背面５ａにおける外枠部分に係止手段によって前記枠体４が嵌込まれるカバープレート（化粧プレート）５と、流入口６、流出口７および弁体８を有する水栓本体９と、弁体８を開閉操作して前記流出口７から送出可能な水の流量を調整する流量調整部材１０と、水を供給するための配管（例えば樹脂パイプ）Ｐと前記流入口６とを接続する配管接続部材１２と、前記流出口７に接続され、例えば洗濯機の給水ホース（図示せず）の上流端に設けられた継手部材（図示せず）が着脱自在である継手部１３とから主として構成されている。弁体８は、セラミック製の固定ディスク８ａとセラミック製の可動ディスク８ｂよりなる。そして、壁Ｗに形成された取付穴ｈにハウジング本体２を設置することで水道用コンセント１が取り付けられる。
【００１２】
前記水栓本体９には、ハウジング本体２の背面部２ａの所定箇所に設けたネジ孔１４に螺合するビス１５が取り付けられている。そして、水栓本体９は、前面開口２ａからハウジング本体２内に収容され、続いて、ビス１５によってハウジング本体２内に設置される。なお、ハウジング本体２、枠体４およびカバープレート５から水道用コンセント１のハウジング１６が構成される。また、ハウジング本体２の枠状の周縁部（外向きフランジ）３は左右の縦長部分における内側で周縁部３からそれぞれ前方向に所定長さｄだけ突出した突出片３ａ，３ａを有する。この突出片３ａは、壁Ｗの前面に当接させた枠体４と、所定厚みの枠状のスペーサＳを介して壁Ｗの背面に当接させた周縁部（外向きフランジ）３とで壁Ｗを挟持するよう、上下端部の位置に枠体４および周縁部３締付け用の長ビス１６が螺合するネジ孔１７，１７を有する。枠体４は、ネジ孔１７に対応する四隅の位置に長ビス１６の挿通孔４ａを有する。また、流量調整部材１０は可動ディスク８ｂに連動連結された弁棒１０ａの軸心のまわりに回動する回動式ハンドルである
【００１３】
以下、この発明の特徴的構成について説明する。
【００１４】
図１、図３〜図５において、前記配管接続部材１２は、水栓本体９の流入口６に形成されている雌ネジに螺合する雄ネジ２０を有する有底略筒状の軸部材２１と、この軸部材２１に雄ネジ２０側から回動自在に嵌込まれる、配管接続口３５を有する回動部材２３とより構成される。前記軸部材２１は、回動軸２４に直交する上下方向（Ｚ方向）に沿って形成された側壁部２１ａと側壁部２１ａから水平方向（Ｘ方向）に沿って連設され、かつ、端部に前記雄ネジ２０が形成された胴部２１ｂからなり、水栓本体９の内部導入流路ｉに連通する流入流路を形成するよう回動軸２４に沿うＸ方向に設けた長穴２５と、この穴２５に直交するよう胴２１ｂをＺ方向に貫通して形成された二つの貫通穴２６，２７とを有する。更に、胴２１ｂにおける雄ネジ２０と貫通穴２６，２７間には、Ｏリング２８が嵌め込まれるＯリング溝２９と、Ｏリング３０が嵌め込まれるＯリング溝３１と形成されている。前記Ｏリング２８は、水栓本体９に導入された導入流路ｉから雄ネジ２０と流入口６の隙間を通って外部に水がリークするのを防止するためのものであり、また、前記Ｏリング３０は、配管Ｐから回動部材２３内に導入された水が回動部材２３および軸部材２１間に形成される隙間を通って外部にリークするのを防止するためのものである。また、胴２１ｂにおける側壁部２１ａと貫通穴２６，２７間にも、配管Ｐから回動部材２３内に導入された水が回動部材２３および軸部材２１間に形成される隙間を通って外部にリークするのを防止するためのＯリング３２が嵌め込まれるＯリング溝３３が形成されている。
【００１５】
一方、前記回動部材２３は、配管（例えば樹脂パイプ）Ｐとの接続部分である筒状の配管接続口３５と、流量調整部材１０の閉操作時に発生する水撃を吸収するダンパー部材が収容される上下逆向きの有底筒状のハウジング３６と、ハウジング３６および配管接続口３５間に設けられたＸ方向の軸部材取り付け用貫通穴３７とより主としてなる。この実施例においてハウジング３６の外径ｒは、後述する案内板（トレイ）５０〔図１２参照〕に形成される異なる口径の配管挿通用丸穴５２，５３のうち、小さい口径の配管挿通用丸穴５２に嵌挿可能な大きさに設定されている。なお、ハウジング３６の外径ｒを、大きい口径の配管挿通用丸穴５３に嵌挿可能な大きさに設定してもよい。一方、配管接続口３５は異なる口径の配管（例えば樹脂パイプ）Ｐに対応できるよう、口径に応じた外径および内径を有する複数種類のものが予め用意されている。例えば、小さな口径の配管（例えば樹脂パイプ）Ｐを接続する場合には小さな口径に応じた外径および内径を有する配管接続口３５を備えた回動部材２３を軸部材２１に雄ネジ２０側から嵌込まれる。また、例えば、大きな口径の配管（例えば樹脂パイプ）Ｐを接続する場合には前記回動部材２３を軸部材２１から取り外し、大きな口径に応じた外径および内径を有する配管接続口３５を備えた回動部材２３に交換する。
ハウジング３６の入口側には弁座部材として機能する隔壁４０（底部）が設けられ、この隔壁４０は、中央に小孔４０ａを有する。前記貫通穴３７には軸部材２１の胴部２１ｂが雄ネジ２０側から回動自在に嵌込まれ、配管接続口３５とハウジング３６内部が貫通穴２６、長穴２５、貫通穴２７および小孔４０ａを介して連通する。ハウジング３６はメクラ栓４１（図６参照）で封止される。ダンパー部材としては、前記弁座部材４０と、弁体４３と、弁体４３およびメクラ栓４１間に介装され、Ｏリング４６を介して弁体４３を弁座部材４０側に付勢する弁体付勢手段（バネ）４４とが挙げられる。更に、前記弁体４３は、小孔４０ａに遊嵌可能に設けられた突出棒４３ａを有する。これにより、流量調整部材１０の閉操作時に発生する水撃が発生しても、図３に点線矢印Ｊで示す水撃流は弁体付勢手段（バネ）４４の付勢力に抗して弁体４３を押圧しながら水撃が吸収されうる。
なお、従来の水道用コンセントにおいては継手部内に逆止弁と水撃緩和手段を設けていたが、この実施形態では継手部１３内に逆止弁８０を設け、水撃緩和手段４０，４３，４４を回動部材２３に設けたので、従来に比して、壁面からの継手部１３の前出しを短くできる。この実施形態では例えば前出し寸法を従来の６２ｍｍから３７ｍｍに短くできた。
【００１６】
上記構成により、軸部材２１に雄ネジ２０側から回動自在に回動部材２３を嵌込み、雄ネジ２０を介して水栓本体９の流入口６に軸部材２１を固定することで、回動部材２３が軸部材２１の側壁部２１ａおよび水栓本体９の流入口６間に挟まれるとともに、Ｏリング３０，３２が軸部材２１および回動部材２３間に挟まれた状態で回動部材２３が軸部材２１の回動軸２４まわりにシール可能に例えば１８０°回動する。Ａで示す矢印およびＢで示す矢印は回動部材２３の回動方向を示している。
【００１７】
なお、配管（例えば樹脂パイプ）Ｐの接続手順の一例を図７、図８に示す。
（１）まず最初に、樹脂パイプＰの前記配管接続口３５への差込量Ｌを確認するため、樹脂パイプＰの端面ａより差込量Ｌだけ離れた位置にペン等でマーク７４を描く〔図７（Ａ）参照〕。
（２）工場出荷の時点で組付けられた配管接続口３５から袋ナット７２、割リング７３を一旦取り外し、袋ナット７２、割リング７３の順でこれらを樹脂パイプＰに挿通する〔図７（Ｂ）参照〕。
（３）配管接続口３５へ樹脂パイプＰを確実に奥まで差し込む〔図７（Ｃ）参照〕。
（４）割リング７３を配管接続口３５に突き当たるまで押しつけ、割リング７３と前記マーク７４の位置が一致することを確認する〔図８（Ａ）参照〕。
（５）袋ナット端部７２ａより、割リング７３の先端７３ａが約１ｍｍ突出するまで配管接続口３５に袋ナット７２を締め付ける〔図８（Ｂ）参照〕。この場合、工具を使って袋ナット７２を締め付けるが、割リング７３が樹脂パイプＰから外れないよう袋ナット７２を三回転程回す必要がある。
（６）締め付け後、袋ナット７２と配管接続口３５にマーク７５を描く〔図８（Ｃ）参照〕。
【００１８】
また、前記カバープレート５は、上下にそれぞれ前記流量調整部材１０が配置可能な開口４８および前記継手部１３が配置可能な開口４９を有する（図９、図１１参照）とともに、少なくとも回動部材２３の配管接続口２２と配管（例えば樹脂パイプ）Ｐの接続部分あるいは前記流出口７と前記継手部１３の接続部分において発生した漏水を、案内板（トレイ）５０〔図１２参照〕を介して外部に放出しうる漏水案内部材（水受けガイド）５１〔図１３参照〕を裏面の下部に有する。前記案内板５０は、裏返しすることにより異なる口径の配管Ｐが挿通可能な配管挿通用丸穴５２，５３を有する。例えば配管挿通用丸穴５２は配管挿通用丸穴５３よりも口径が小さい。前記案内板５０は、薄板状で平面視矩形形状をなす。そして、天井配管Ｐを接続するこの実施形態では、図３に示すように配管接続口３５が上向きになるよう配管接続部材１２が回動操作される。
前記案内板５０は、ハウジング本体２の底板部分５４の上方で、かつ、漏水案内部材５１の直上に位置される。この場合、下方に向いている回動部材２３のハウジング３６が案内板（トレイ）５０に形成された小さい口径の配管挿通用丸穴５２との間に隙間がないように配管挿通用丸穴５２に嵌め込まれることにより、案内板５０は漏水案内部材５１の直上に図１２に示した状態で保持される。図１４には、漏水案内部材５１の上方から案内板（トレイ）５０を見た場合の両者５１，５０の位置関係を示している。
更に、前記案内板５０は、図１２に示すように、配管挿通用丸穴５２を有する上面５５および下面５５ａと、配管挿通用丸穴５３を有する上面５６および下面５６ａを備えている。上面５５は、上面５６との境界部分５７に向かって、すなわち、矢印Ｄで示す方向に向かって下方に緩やかに傾斜する傾斜面に形成されている。境界部分５７の上面５７ａは上面５５と段差５８を介して上面５５より僅かに高く位置しており、上面５７ａと上面５６とは面一であり傾斜しない水平面に形成されている。更に、段差５８も奥へ行くほど小さくなっている。そのため、上面５５に流れてきた漏水は、上面５５の高い位置から段差５８側の最も低い位置に移動する。一方、図１２に示す状態から案内板５０を裏返すと、上面５６ａは、上面５５ａとの境界部分５７に向かって、すなわち、矢印Ｄ’で示す方向に向かって下方に緩やかに傾斜する傾斜面に形成されている。裏返した場合での境界部分５７の上面５７ｂは上面５６ａと段差５８’を介して上面５６ａより僅かに高く位置しており、上面５５ａと上面５７ｂとは面一であり傾斜しない水平面に形成されている。
【００１９】
一方、図１３、図１４において、漏水案内部材（水受けガイド）５１は、平面視で左右対称の形状をなしている。すなわち、漏水案内部材（水受けガイド）５１は、左右外側に平面視直角三角形形状の一対の水平面部６０，６０を有し、左右内側に平面視直角三角形形状の一対の傾斜面部６１，６１を有する。傾斜面部６１は、水平面部６０の側から下方に緩やかに傾斜して連設されており、左右の傾斜面部６１が交わる対称軸線Ｆの位置に谷６２が形成されている。また、漏水案内部材（水受けガイド）５１は、傾斜面部６１，６１の先端部に切欠き６４する。さらに、漏水案内部材（水受けガイド）５１は、図１１に示すように、水平面部６０、傾斜面部６１の上面が壁の背面側から前面側に行くほど下方に緩やかに傾斜するようカバープレート５に設けられている。そのため、この実施形態では、案内板５０の上面５５に流れてきた漏水は、上面５５の高い位置から段差５８側の最も低い位置に移動し、案内板５０から下方に落下した漏水は、傾斜面部６１および／または水平面部６０から谷６２沿いに移動して、最後に切欠き６４から水道用コンセントの外部に排出される。この場合、図１４に示すように、切欠き６４は壁Ｗの前面Ｇ側（室内側）に位置するよう切欠き６４の寸法が設定されているので、壁Ｗの前面Ｇおよび／または床に移動した漏水を目視できて、メンテナンスの必要性を認識できる。なお、漏水案内部材（水受けガイド）５１は、適宜の係止手段によりカバープレート５裏面に着脱自在に取り付けてもよく、また、カバープレート５と一体に形成してもよい。
【００２０】
また、ハウジング本体２は、図１、図１０に示すように、一側面部に並列配置された一対の鞘管ホルダ８０，８１を有する。鞘管（図示せず）は、配管（例えば樹脂パイプ）Ｐを覆ってこれを保護するためのものである。この実施形態では、天井配管なので、図１における正面向かって左側のような、鞘管ホルダ８０，８１を上向きにした状態で使用される。この場合、配管（例えば樹脂パイプ）Ｐは、鞘管ホルダ８０を挿通するようハウジング本体２は形成されている。なお、後述するように、床配管の場合は、図１における正面向かって右側のような、鞘管ホルダ８０，８１を下向きにした状態で使用され、配管（例えば樹脂パイプ）Ｐは、鞘管ホルダ８１を挿通する。
【００２１】
図１５〜図２０は、流量調整部材および継手部にそれぞれ所定長さのアダプタを設け、壁を枠体とハウジング本体の周縁部とで挟持してするとともに、配管接続部材に形成された配管接続口と天井配管を接続してあるこの発明の他の実施形態を示す。なお、図１５〜図２０において、図１〜図１４に示す符号と同一のものは同一または相当物である。  
【００２２】
この実施形態が上記実施形態と異なる点は、この実施形態において、流量調整部材および継手部にそれぞれ所定長さのアダプタを設けた点である。
すなわち、上記実施形態の流量調整部材１０では、図２に示したように、流量調整部材１０のハンドル部材８２に形成されているセレーション８３と流量調整部材１３の栓棒１０ａに形成されているセレーション８４とが噛合していたが、この実施形態では、セレーション８３に噛合するセレーション８５を一端に有し、他端にセレーション８４に噛合するセレーション８６を有する所定長さのほぼ筒状のアダプタ８１を用いている。また、上記実施形態の継手部１３では、図２に示したように、水栓本体９の流出口７に形成されている雄ネジ８７と継手部１３のハウジング１３ａの後端部に形成されている雌ネジ８８とが螺合していたが、この実施形態では、雌ネジ８８に螺合する雄ネジ９０を一端に有し、他端に雄ネジ８７に螺合する雌ネジ９１を有する所定長さのほぼ筒状のアダプタ９２を用いている。これは、この実施形態では、上記実施形態を適用した壁厚Ｍ（例えば９．５ｍｍ）（図１１参照）よりも厚い壁厚ｍ（例えば２５ｍｍ）（図１８参照）にこの発明の水道用コンセント１を適用することによる。    
【００２３】
図２１〜図２３は、取付穴ｈが形成された壁の背面に当接させた所定厚みのスペーサを介して壁を前記枠体とハウジング本体の周縁部とで挟持するとともに、配管接続部材に形成された配管接続口と床配管を接続してあるこの発明の更に他の実施形態を示す。なお、図２１〜図２３において、図１〜図２０に示す符号と同一のものは同一または相当物である。
【００２４】
この実施形態が上記各実施形態と異なる点は、この実施形態においては配管接続部材に形成された配管接続口と床配管を接続している点である。
すなわち、上述したように、床配管なので、図１における正面向かって左側のような、鞘管ホルダ８０，８１を上向きにセットするのではなく、図１における正面向かって右側のような、鞘管ホルダ８０，８１を下向きにした状態で使用され、配管（例えば樹脂パイプ）Ｐは、鞘管ホルダ８１を挿通する。そして、小さい口径の配管Ｐを接続する場合、図１２、図１４に示したように案内板５０をセットし、小さい口径の配管Ｐを小さい口径の配管挿通用丸穴５２に挿通する。
一方、大きい口径の配管Ｐを接続する場合、図１２に示した状態の案内板５０を裏返しにし、この状態で案内板５０をセットし、大きい口径の配管Ｐを大きい口径の配管挿通用丸穴５３に挿通する。案内板５０を裏返しにしたので、セット時には、図１４に示した配管挿通用丸穴５２の位置に大きい口径の配管挿通用丸穴５３がくることになる。
【図面の簡単な説明】
【００２５】
【図１】この発明で用いるハウジングのセット状態と、配管接続部材の取り付け動作とを示す図である。
【図２】この発明の一実施形態を示す分解構成説明図である。
【図３】上記実施形態における天井配管取り付け動作を示す要部構成説明図である。
【図４】上記実施形態で用いる配管接続部材の軸部材を示す縦断面図である。
【図５】（Ａ）は、上記実施形態で用いる配管接続部材の回動部材を示す縦断面図である。（Ｂ）は、上記回動部材の側面図である。（Ｃ）は、上記回動部材の底面図である。
【図６】上記実施形態で用いる配管接続部材のメクラ栓を示す縦断面図である。
【図７】上記実施形態において、配管の接続手順の一例の前半を示す図である。
【図８】上記実施形態において、配管の接続手順の一例の後半を示す図である。
【図９】上記実施形態を示す正面図である。
【図１０】（Ａ）は、上記実施形態を示す上面図である。（Ｂ）は、上記実施形態において、ハウジングのカバープレートを外した状態を示す正面図である。（Ｃ）は、上記実施形態を示す横断面図である。
【図１１】上記実施形態を示す縦断面図である。
【図１２】上記実施形態で用いる案内板を示す斜視図である。
【図１３】上記実施形態で用いる漏水案内部材を示す上面図である。
【図１４】上記実施形態で用いる案内板と漏水案内部材の位置関係を示す構成説明図である。
【図１５】この発明の他の実施形態を示す分解構成説明図である。
【図１６】上記他の実施形態を示す正面図である。
【図１７】（Ａ）は、上記他の実施形態を示す上面図である。（Ｂ）は、上記他の実施形態において、ハウジングのカバープレートを外した状態を示す正面図である。（Ｃ）は、上記他の実施形態を示す横断面図である。
【図１８】上記他の実施形態を示す縦断面図である。
【図１９】上記他の実施形態で用いたアダプターを示す縦断面図である。
【図２０】（Ａ）は、上記他の実施形態で用いたもう一つのアダプターを示す縦断面図である。（Ｂ）は、もう一つのアダプターの背面図である。
【図２１】この発明の更に他の実施形態を示す正面図である。
【図２２】（Ａ）は、上記更に他の実施形態を示す横断面図である。（Ｂ）は、上記更に他の実施形態において、ハウジングのカバープレートを外した状態を示す一部縦断正面図である。（Ｃ）は、上記更に他の実施形態を示す底面図である。
【図２３】上記更に他の実施形態を示す縦断面図である。
【符号の説明】
【００２６】
１      水道用コンセント
２      ハウジング本体
２ａ    前面開口
３      周縁部
４      枠体
５      カバープレート
６      流入口
７      流出口
８      弁体
９      水栓本体
１０    流量調整部材
１２    配管接続部材
１３    継手部
３５    配管接続口
Ｐ      配管
Ｗ      壁
ｈ      取付穴
【図１】
2005200883.tif 000003
【図２】
2005200883.tif 000004
【図３】
2005200883.tif 000005
【図４】
2005200883.tif 000006
【図５】
2005200883.tif 000007
【図６】
2005200883.tif 000008
【図７】
2005200883.tif 000009
【図８】
2005200883.tif 000010
【図９】
2005200883.tif 000011
【図１０】
2005200883.tif 000012
【図１１】
2005200883.tif 000013
【図１２】
2005200883.tif 000014
【図１３】
2005200883.tif 000015
【図１４】
2005200883.tif 000016
【図１５】
2005200883.tif 000017
【図１６】
2005200883.tif 000018
【図１７】
2005200883.tif 000019
【図１８】
2005200883.tif 000020
【図１９】
2005200883.tif 000021
【図２０】
2005200883.tif 000022
【図２１】
2005200883.tif 000023
【図２２】
2005200883.tif 000024
【図２３】
2005200883.tif 000025